(57)【要約】      （修正有）【課題】正確で、取り付け取り外しが容易な車両ガソリンタンクの油量測定装置の提供。【解決手段】車両ガソリンタンクに関する測定装置の一種で、主にはガソリンタンクの外に給油口と出油口を設け、出油口にポンプを設ける。出油口とガソリンポンプの間に測定装置を設け、車両ガソリンタンクの中の残りのガソリン量あるいはその出るガソリンの量を測定して、続けて走行できる距離の数値に換算することである。また、測定装置はガソリンタンクの外部に取り付けるため、測定装置を取り付けと取り外しするのが便利である。【選択図】図３
0003120240.tif 000002
【実用新案登録請求の範囲】
【請求項１】
車両ガソリンタンクのガソリン量測定装置において、ガソリンタンクの外縁に給油口と出油口を設け、該当出油口にポンプを設ける。また、出油口とそのガソリンポンプの間に測定装置を設け、ガソリンポンプの中のガソリン量あるいは出るガソリン量を測定して、それを続けて走行することのできる距離に換算し、測定装置はガソリンタンクの外に取り付けて、取り付け、取り外しが便利なことを特徴とする車両ガソリンタンクのガソリン量測定装置。
【請求項２】
請求項１記載の車両ガソリンタンクの油量測定装置において、その中の測定装置は圧力測定器であることを特徴とする車両ガソリンタンクのガソリン量測定装置。
【請求項３】
請求項１記載の車両ガソリンタンクの油量測定装置において、その中のガソリンポンプは測定装置と結合していることを特徴とする車両ガソリンタンクのガソリン量測定装置。
【請求項４】
請求項２記載の車両ガソリンタンクの油量測定装置において、その出油口とガソリンポンプの間にもう一つの測定装置を設けることを特徴とする車両ガソリンタンクのガソリン量測定装置。
【請求項５】
請求項２記載の車両ガソリンタンクの油量測定装置において、そのガソリンポンプと圧力測定器は結合していることを特徴とする車両ガソリンタンクのガソリン量測定装置。
【請求項６】
請求項３記載の車両ガソリンタンクの油量測定装置において、その測定装置は流量計であることを特徴とする車両ガソリンタンクのガソリン量測定装置。
【考案の詳細な説明】
【技術分野】
【０００１】
本考案は車両ガソリンタンクの中のガソリン量を測定する油量測定装置を関する。
【背景技術】
【０００２】
ガソリンは現在の車両の主な動力で、ガソリンの残り量の多い少ないが、車両がどれだけ続けて走行できる距離に関係している。このため車両内部の残りガソリンの量を必ず運転者に知らせなければならない。
【０００３】
早期の車両の持ち主がガソリン量の多い少ないを知る方法は、主に図１に示すように、車両ガソリンタンク（１）のガソリン量の増減変化を測定するために、浮くボール（１１）をガソリンの表面に浮かせて、その浮くボール（１１）に連結したてこ（１２）が表面の高さの変化にしたがって動く以外に、てこ（１２）の一端と可変式の抵抗（１３）の接触位置を変えられ、可変抵抗（１３）の出す抵抗の値が異なる液面の高さによって変わる。続けて、該当可変抵抗（１３）の電子信号がガソリンメーター（図中に示されていない）内部に伝わり、ガソリンメーターの針が回って、運転者がガソリンタンク（１）の中のガソリン量の多い少ないを知ることができる。しかし、従来の浮くボールの構造はガソリンの量を知る上でいくつか欠点がある。それぞれ以下のとおり。
【０００４】
ガソリンタンク（１）各部の断面積は完全に同じでなく、また、ガソリン表面は路面のでこぼこによって揺れ動くため、ガソリンタンクのガソリンの液面の高さを測って、残りのガソリンの量を知るのは正確ではない。
【０００５】
ガソリンタンク（１）は油の中の雑成分や長時間使用のため生まれたさびなどによって、浮くボールあるいはてこがよく引っかかり、測定の機能を失う。
【０００６】
従来構造の欠点を改造するため、図２に示すように、車両ガソリンタンク（１）の底の内壁面の上に圧力測定器（１４）をつけて、圧力測定器（１４）で車両ガソリンタンク（１）の中の現在ある残りガソリン量を測定し、圧力測定器（１４）がガソリンタンク（１）の中に固定されているため、いったん圧力測定器（１４）が故障したとき、圧力測定器（１４）を取り替えることができず、ガソリンタンク（１）全体を交換しなければならず、使用者の費用は少なくない。さらに、運転者はガソリンメーターのガソリンの多い少ないによってのみ、経験から続けて運転できるキロ数を判断することができる。しかしこの方法はよく判断の誤りを生み、車両のガソリン不足でエンストを起こす。
【考案の開示】
【考案が解決しようとする課題】
【０００７】
このガソリンタンクの外部に設置する測定装置によって、従来構造の、圧力測定器の取り付け取り外しの不便さによるたくさんの欠点を改善する。
【０００８】
本考案が以前の問題を解決するために使用する技術手段は、主にガソリンタンクのガソリン量測定装置を提供することである。それは主に、ガソリンタンクの外縁にひとつの給油口および出油口を設けて、その出油口にひとつのガソリンポンプを設ける。本考案の特色は、出油口とガソリンポンプの間に測定装置を設け、車両ガソリンタンクの中の残りのガソリン量あるいはその出るガソリンの量を測定して、続けて走行できる距離の数値に換算することである。また、測定装置はガソリンタンクの外部に取り付けるため、測定装置を取り付けと取り外しするのが便利である。
【課題を解決するための手段】
【０００９】
請求項１の考案は、車両ガソリンタンクのガソリン量測定装置において、ガソリンタンクの外縁に給油口と出油口を設け、該当出油口にポンプを設ける。また、出油口とそのガソリンポンプの間に測定装置を設け、ガソリンポンプの中のガソリン量あるいは出るガソリン量を測定して、それを続けて走行することのできる距離に換算し、測定装置はガソリンタンクの外に取り付けて、取り付け、取り外しが便利なことを特徴とする車両ガソリンタンクのガソリン量測定装置としている。
請求項２の考案は、請求項１記載の車両ガソリンタンクの油量測定装置において、その中の測定装置は圧力測定器であることを特徴とする車両ガソリンタンクのガソリン量測定装置としている。
請求項３の考案は、請求項１記載の車両ガソリンタンクの油量測定装置において、その中のガソリンポンプは測定装置と結合していることを特徴とする車両ガソリンタンクのガソリン量測定装置としている。
請求項４の考案は、請求項２記載の車両ガソリンタンクの油量測定装置において、その出油口とガソリンポンプの間にもう一つの測定装置を設けることを特徴とする車両ガソリンタンクのガソリン量測定装置としている。
請求項５の考案は、請求項２記載の車両ガソリンタンクの油量測定装置において、そのガソリンポンプと圧力測定器は結合していることを特徴とする車両ガソリンタンクのガソリン量測定装置としている。
請求項６の考案は、請求項３記載の車両ガソリンタンクの油量測定装置において、その測定装置は流量計であることを特徴とする車両ガソリンタンクのガソリン量測定装置としている。
【考案の効果】
【００１０】
本考案の測定装置はガソリンタンクの外部に取り付けられ、いったん測定装置が故障し、検査修理、あるいは交換が必要なとき、その測定装置を交換するだけでよく、ガソリンタンクを取り外して検査修理あるいは取り替える必要がない。取り外しの時間を節約するだけでなく、測定装置の破損によって、ガソリンタンク全体を交換する必要がないため、ガソリンタンクの材料と消費者の修理費用を節約することができる。
【００１１】
本考案は圧力測定器および流量計などの二重測定で、車両ガソリンタンクの中の残りのガソリン量をさらに精確に測定することができる。
【００１２】
本考案はプロセッサーの数値信号を続けて運転できる距離数値に換算して、メーターに表示することができて、運転者に運転できる距離数値を知らせる。運転者は経験によって判断する必要がなく、判断を誤ってガソリンが不足し、エンストを起こす確率を減らせ、運転者はさらに安心して運転できる。
【考案を実施するための最良の形態】
【００１３】
以下に図式説明によって本考案の内容、特徴と実施例を説明する。
第図３が示すのが、本考案のガソリンタンクのガソリン量測定装置の比較的によい実施例であり、主には以下のものを含む。ガソリンタンク（２）、そのガソリンタンク（２）の上縁の外壁に給油口（２１）、その下縁の外壁に出油口（２２）が設けられ、該当給油口（２１）および出油口（２２）はそれぞれガソリンタンク（２）の内部とつながっていている。本考案の特徴は、その出油口（２２）に圧力測定器（３）を設け、ガソリンタンク（２）の中の容量を測定して、また、その圧力測定器（３）がガソリンタンク（２）の外部に取り付られているため、故障が起こったとき、圧力測定器（３）を取り付けと取り外しが便利で、ガソリンタンク（２）全体を交換する必要がないことである。
【００１４】
第図３および第図５が示すように、該当圧力測定器（３）はガソリンタンク（２）の残りガソリン量を測定したあと、電子信号が車両にあらかじめ取り付けたプロセッサー（５）へ出力され、そのプロセッサー（５）の中の圧力/ガソリン量換算比の公式によって、そのプロセッサー（５）が圧力測定器（３）の電子信号を数値信号に変え、それからガソリンメーター（６）あるいはその他の表示ユニットに送って、車両の運転者にガソリンタンク（２）の中に現在残っているガソリン量の多い少ない、さらに続けて運転できるキロ数を知らせ、ガソリンを給油するかどうかの根拠にする。そのプロセッサー（５）がどうやって信号をコントロールするか、および信号の間でどうやって転換、伝達するかは、電子回路の従来技術の範囲で本考案の目的ではないので、ここでは説明を付け加えない。
【００１５】
続いては第図４および第図６が示すのが、本考案のほかの比較的によい実施例である。その出油口（２２）およびガソリンポンプ（７）の間にもうひとつの測定装置が取り付けられ、その測定装置の比較的によい実施例は流量計（４）で、その流量計（４）にはタービン式流量計（図には表示せず）を選択でき、タービンの回転頻度を利用して、各回転数に流れるガソリンの量を換算して、そのガソリンタンク（２）の中のガソリンの出る量を測定する。また、測定したあと電子信号がプロセッサー（５）に出力され、そのプロセッサー（５）が測定する前に記憶しているガソリン量の値と比較させてから、数値信号をそのガソリンメーター（６）あるいはその他の表示ユニットに送ることにより、本考案は圧力測定器（３）および流量計（４）の二重測定によってより正確に測定できる。
【００１６】
また、そのプロセッサー（５）が数値信号を伝送する前に、その数値信号は続けて運転できる数値に換算され、メーターに表示することができる。運転者は経験から判断する必要がないので、運転者がガソリン不足の誤判断によるエンストの確率を減らすことができる。
【００１７】
第図３および第図４が示すように、その出油口（２２）がパイプ（２２１）につながり、そのパイプ（２２１）にガソリンポンプ（７）が設けられ、そのパイプ（２２１）の一端は車両の燃焼システム（キャブレターあるいはインジェクターなど）に接続するため、そのガソリンポンプ（７）の作動によって、ガソリンを車両の燃焼システムに送る。また、そのガソリンポンプ（７）はその圧力測定器（３）と結合している設計（図には表示せず）で、該当ガソリンポンプ（７）はガソリン量を測定する機能以外に、ガソリンタンク（２）のガソリンを車両の燃焼システムに送ることができる。
【図面の簡単な説明】
【００１８】
【図１】従来構造断面の見取り図の一
【図２】従来構造断面の見取り図の二
【図３】本考案の見取り図の一
【図４】本考案の見取り図の二
【図５】本考案の中の電気回路信号のブロック線図の一
【図６】本考案の中の電気回路信号のブロック線図の二
【符号の説明】
【００１９】
（１）  ガソリンタンク
（１１）  浮くボール
（１２）  てこ
（１３）  可変抵抗
（１４）  圧力測定器
（２）  ガソリンタンク
（２１）  給油口
（２２）  出油口
（２２１）  パイプ
（３）  圧力測定器
（４）  流量計
（５）  プロセッサー
（６）  ガソリンメーター
（７）  ガソリンポンプ
【図１】
0003120240.tif 000003
【図２】
0003120240.tif 000004
【図３】
0003120240.tif 000005
【図４】
0003120240.tif 000006
【図５】
0003120240.tif 000007
【図６】
0003120240.tif 000008
【手続補正書】
【提出日】平成18年1月18日(2006.1.18)
【手続補正１】
【補正対象書類名】実用新案登録請求の範囲
【補正対象項目名】全文
【補正方法】変更
【補正の内容】
【実用新案登録請求の範囲】
【請求項１】
車両ガソリンタンクのガソリン量測定装置において、ガソリンタンクの外縁に給油口と出油口を設け、該当出油口にポンプを設ける、また、出油口とそのガソリンポンプの間に測定装置を設け、ガソリンポンプの中のガソリン量あるいは出るガソリン量を測定して、それを続けて走行することのできる距離に換算し、測定装置はガソリンタンクの外に取り付けて、取り付け、取り外しが便利なことを特徴とする車両ガソリンタンクのガソリン量測定装置。
【請求項２】
請求項１記載の車両ガソリンタンクの油量測定装置において、その中の測定装置は圧力測定器であることを特徴とする車両ガソリンタンクのガソリン量測定装置。
【請求項３】
請求項１記載の車両ガソリンタンクの油量測定装置において、その中のガソリンポンプは測定装置と結合していることを特徴とする車両ガソリンタンクのガソリン量測定装置。
【請求項４】
請求項２記載の車両ガソリンタンクの油量測定装置において、その出油口とガソリンポンプの間にもう一つの測定装置を設けることを特徴とする車両ガソリンタンクのガソリン量測定装置。
【請求項５】
請求項２記載の車両ガソリンタンクの油量測定装置において、そのガソリンポンプと圧力測定器は結合していることを特徴とする車両ガソリンタンクのガソリン量測定装置。
【請求項６】
請求項３記載の車両ガソリンタンクの油量測定装置において、その測定装置は流量計であることを特徴とする車両ガソリンタンクのガソリン量測定装置。
【手続補正２】
【補正対象書類名】明細書
【補正対象項目名】０００９
【補正方法】変更
【補正の内容】
【０００９】
請求項１の考案は、車両ガソリンタンクのガソリン量測定装置において、ガソリンタンクの外縁に給油口と出油口を設け、該当出油口にポンプを設ける、また、出油口とそのガソリンポンプの間に測定装置を設け、ガソリンポンプの中のガソリン量あるいは出るガソリン量を測定して、それを続けて走行することのできる距離に換算し、測定装置はガソリンタンクの外に取り付けて、取り付け、取り外しが便利なことを特徴とする車両ガソリンタンクのガソリン量測定装置としている。
請求項２の考案は、請求項１記載の車両ガソリンタンクの油量測定装置において、その中の測定装置は圧力測定器であることを特徴とする車両ガソリンタンクのガソリン量測定装置としている。
請求項３の考案は、請求項１記載の車両ガソリンタンクの油量測定装置において、その中のガソリンポンプは測定装置と結合していることを特徴とする車両ガソリンタンクのガソリン量測定装置としている。
請求項４の考案は、請求項２記載の車両ガソリンタンクの油量測定装置において、その出油口とガソリンポンプの間にもう一つの測定装置を設けることを特徴とする車両ガソリンタンクのガソリン量測定装置としている。
請求項５の考案は、請求項２記載の車両ガソリンタンクの油量測定装置において、そのガソリンポンプと圧力測定器は結合していることを特徴とする車両ガソリンタンクのガソリン量測定装置としている。
請求項６の考案は、請求項３記載の車両ガソリンタンクの油量測定装置において、その測定装置は流量計であることを特徴とする車両ガソリンタンクのガソリン量測定装置としている。